Podtech/llm-jp-corpus-v4-ja_patent huggingface dataset:
(57)【要約】【課題】  樹液シートを足裏に貼っていると、樹液シートからドロドロした状態の内容物が染み出し、衣類や布団などに付着し汚れる場合があった。  また、靴下などを履いていても靴下からも染み出し、汚れる場合があった。  本発明は、以上の問題点を解決するためになされたものである。【解決手段】  ポリエチレンフィルムの４辺に接着面を設け、樹液シートの上から貼り付けることにより、樹液シートから染み出るドロドロの内容物流出を遮断することを特徴とする樹液シートフィルム。【選択図】図３
2013184979.tif 000002
【特許請求の範囲】
【請求項１】
ポリエチレンフィルムの４辺に接着面を設け、樹液シートの上から貼り付けることにより、樹液シートから染み出るドロドロの内容物流出を遮断する樹液シートフィルム。
【発明の詳細な説明】
【技術分野】
【０００１】  本発明は、樹液シートより染み出るドロドロの内容物流出による汚れを防ぐことができる樹液シートフィルムに関するものである。
【背景技術】
【０００２】  従来、図４のように樹液シートパックと粘着シートを組み合わせて使用するか、図５のようにすでに組み合わさったものを足裏に貼り付けて用いていた。
そのとき、靴下などを履き粘着シートの剥がれやズレを防ぐ場合もあった。
以後、図４、図５を「樹液シート」とする。
【先行技術文献】
【特許文献】
【０００３】
【特許文献１】  特開２００１−００６０５３号公報
【発明の概要】
【発明が解決しようとする課題】
【０００４】  使用するとき、樹液シートからドロドロした状態の内容物が染み出し、衣類や布団などに付着し汚れる場合があった。
また、靴下などを履いていても靴下からも染み出し、汚れる場合があった。
本発明は、以上の問題点を解決するためになされたものである。
【課題を解決するための手段】
【０００５】  図１に示すようにポリエチレンフィルムの４辺に接着面を設け、図２のように樹液シートの上から貼り付けることにより、樹液シートから染み出るドロドロの内容物流出を遮断する樹液シートフィルム。
【発明の効果】
【０００６】  従来では、樹液シートから染み出るドロドロの内容物流出による、衣類や布団などの汚れを、本発明のフィルムで遮断することにより、靴下などからの染み出しはもとより、衣類や布団などの汚れの付着を防ぐことが出来る。
【図面の簡単な説明】
【０００７】
【図１】  本発明の樹液シートフィルムの裏面図である。
【図２】  本発明の樹液シートフィルムと樹液シートの断面図である。
【図３】  本発明の使用状態を示した立体図である。
【図４】  市販されている樹液シートパックと粘着シート別々の平面図である。
【図５】  市販されている樹液シートパックが粘着シートに張り付いている平面図である。
【発明を実施するための形態】
【０００８】  以下、本発明の実施形態を説明する。
（イ）ポリエチレンフィルム（３）の４辺に剥離紙（５）の付いた接着テープ（４）を設ける。
（ロ）ポリエチレンフィルム（３）に接着テープ（４）を貼り付ける際、通気のため４つ角に隙間が出来るように貼り付ける。
本発明は以上のような構造である。
本発明を使用するときは、足裏に貼り付けた樹液シートの上から図２のように、樹液シートフィルム（６）の４辺の剥離紙（５）をはがし、樹液シートを覆うように身体に貼り付ける。
【符号の説明】
【０００９】１  樹液シートパック
２  粘着シート
３  ポリエチレンフィルム
４  接着テープ
５  剥離紙
６  樹液シートフィルム
【図１】
2013184979.tif 000003
【図２】
2013184979.tif 000004
【図３】
2013184979.tif 000005
【図４】
2013184979.tif 000006
【図５】
2013184979.tif 000007
(57)【要約】【課題】  自動車の後退走行時に、運転者が一切意識すること無く、現状と比較して周囲に格段に明確な注意喚起が出来、かつ極めて安価に実現可能な、自動車の後退走行安全システムを提供する。【解決手段】  後退走行時に於いて、全ての自動車に必ず装備されているハザードランプの点滅を、連動させることによって実現します。前後左右の四隅の黄色の点滅ですので、視認方向的及び視認距離的に注意喚起力が、格段にアップするのは確実です。また、把握できている後退走行情報を、既存の装備に連動させるだけなので、容易に実現可能です。新車への標準搭載であれば、極めて容易にかつ極めて安価に実現できます。【選択図】図１
2013184694.tif 000002
【特許請求の範囲】
【請求項１】
自動車の後退走行時に、ハザードランプの点滅を連動させることを特徴とする、自動車の後退走行安全システム。
【請求項２】
方向指示レバーがオンの間は、連動よりも方向指示レバー制御を優先する、請求項１記載の自動車の後退走行安全システム。
【請求項３】
後退走行時にハザードランプの点滅を連動させるか否かの選択や、連動を行う際に方向指示レバー制御を優先させるか否かの選択を、設定出来る機能を有する、請求項１または請求項２記載の自動車の後退走行安全システム。
【発明の詳細な説明】
【技術分野】
【０００１】  本発明は、自動車の後退走行に於ける、安全システムに関するものである。
【背景技術】
【０００２】  自動車の後退走行に於ける安全システムとしては、カメラやセンサーで障害物を検出して、事故を回避する方法が複数考えられています。これは、自分の自動車の側で、事故を回避する方向性の安全システムと言えます。しかし、この方向性だけでは回避出来ないケースもあります。
【発明の概要】
【発明が解決しようとする課題】
【０００３】  自動車の後退走行時には、後方や死角等の運転者からは確認不十分となってしまう場所が、必然的に生じてしまいます。また、確認した時点では問題が無くても、その後事故要因が発生する場合もあります。確認不十分となってしまった場所でも、事故要因相手が歩行者や運転中の自動車等なら、相手側に回避してもらえる可能性があります。その為には、周囲に早く明確な注意喚起を行うことが重要です。【０００４】  しかし、一般的な後退走行時の周囲への注意喚起は、後退灯と警告音や警告音声です。また、後退灯が視認出来るのは、真後付近の限られた範囲です。自動車の後退走行時に、運転者が一切意識すること無く、現状と比較して周囲に格段に明確な注意喚起が出来、かつ極めて安価に実現可能な、自動車の後退走行安全システムを提供する。
【課題を解決するための手段】
【０００５】  本発明の自動車の後退走行安全システムは、後退走行時に於いて、全ての自動車に必ず装備されているハザードランプの点滅を、連動させることによって実現します。把握できている後退走行情報を、既存の装備に連動させるだけなので、容易に実現可能です。新車への標準搭載であれば、極めて容易にかつ極めて安価に実現できます。【０００６】  関連するケースとしては、後退右左折時に於ける、方向指示レバーとの兼ね合いのが考えられます。ハザードランプと方向指示ランプは、兼用の場合が多いからです。これは、方向指示レバーがオンの間は、連動制御よりも方向指示レバー制御を優先させることで対処可能です。【０００７】  後退走行時にハザードランプの点滅を連動させるか否かの選択や、連動を行う際に方向指示レバー制御を優先させるか否かの選択を、設定できるスイッチ等を設けることで、必要に応じた対応変更が可能になります。
【発明の効果】
【０００８】  一般的な後退走行時の周囲への注意喚起は、後退灯と警告音や警告音声です。これらも、そのまま有効ですが、ハザードランプの点滅を連動した場合は、さらに、前後左右の四隅の黄色の点滅ですので、視認方向的及び視認距離的に注意喚起力が、格段にアップするのは確実です。後退走行時に於ける事故の、一定割合を確実に削減出来る可能があります。【０００９】  路上で後方遠方より速度を持って走って来る自動車を想定した場合、事前に認識さえ出来ていれば容易に避けられたケースでも、気づけないだけで大事故となってしまいます。また、駐車場では、後退走行を行う場合が多く、歩行者の往来も頻繁なので、事故やトラブルの回避には非常に有効です。【００１０】  安全に対する意識と知識のある運転者が、忘れずにハザードランプスイッチを押せば、同様の状態になりますが、非常に少ないのが実情です。交通事故削減には、全ての自動車で確実に実施されることが重要であり、本発明の自動車の後退走行安全システムはこの為のシステムです。
【発明を実施するための形態】
【実施例】
【００１１】  チェンジレバー（１）が後退位置の場合は、制御部（４）で、ハザードランプ（５）の点滅を連動させる制御を行います。但し、方向指示レバー（２）がオンの間は、これによる制御を優先します。
【図面の簡単な説明】
【００１２】
【図１】  本発明を説明するためのブロック図である。
【符号の説明】
【００１３】１  チェンジレバー
２  方向指示レバー
３  設定スイッチ
４  制御部
５  ハザードランプ
６  後退灯
７  警告音、警告音声スピーカー
【図１】
2013184694.tif 000003
(57)【要約】      （修正有）【課題】高波や津波に即時に対処できる、着用が容易であり、生命を維持する体の部分を保護して、水面に浮いていられる救命胴衣を提供する。【解決手段】頭部保護部イと浮力を有する部分ロと胸、腹保護部ニおよび背面保護部ホが一着で繋がっており、ボタンと環状紐で止めた部分ヘを備える。高波や津波の情報を得たら、即時に頭部を含めた上半身保護付きの救命胴衣を着衣して、素速い避難を心掛けます。逃げ遅れて波に呑み込まれても浮くことができ、追突等の衝撃に耐えられれば、生命は維持できます。【選択図】図１
2013184697.tif 000002
【特許請求の範囲】
【請求項１】
着衣が容易で、強い浮力を持ち水面の上に顔が出せ呼吸ができること。
【請求項２】
頭部含めた上半身の生命維持に必要な部分が保護されること。
【発明の詳細な説明】
【発明の概要】
【０００１】この度、想定外の大地震に依る、大津波に人々が呑み込まれ、成す術無く多くの尊い生命を失ないました。また多くの遺体は水没していました。従来救命胴衣は、船と飛行機に常設され、不慮の事故に、備えてあります。着水時、溺れないよう首から上の部分が水面の上に出て、浮ける着衣です。高波や津波に逃げ遅れ、波に呑み込まれれば流物や構築物等への追突の衝撃を受けることも考えられます。この時生命の維持に必要な部分を保護することが不可欠となります。
【発明が解決しようとする課題】
【０００２】従来の救命胴衣は、首から上の部分が水面に出せて、浮いていられる着衣で、頭部を含める上半身が衝撃から保護されるように、作られていません。現在、素速い避難が第一と考えられ、救命胴衣の着用と常設されることが不備になっています。
【発明が解決するための手段】
【０００３】着用が容易であり、生命を維持する体の部分を保護して、水面に浮いていられる救命胴衣が必要です。高波や津波の情報を得たら即時に救命胴衣を着用して、次に素速い避難をします。逃げ遅れに依り波に呑み込まれても、水面に浮き、流物等からの衝撃も防ぐことができれば、生命の維持が確保できます。
【発明の効果】
【０００４】本考案の救命胴衣が常設してあれば、心の備えも出来ます。
弱者への救済に役立ちます。
【図面の簡単な説明】
【０００５】
【図１】図１は斜視図で、頭部保護部と浮力を有する部分と上半身保護部が一着で繋がっており、ボタンと環状紐で止めた図です。
【図面の符号の説明】
【０００６】イ、頭部保護部        ニ、胸、腹保護部
ロ、浮力を有する部分  ホ、背面保護部
ハ、袖口              ヘ、ボタンと環状紐で止めた部分
【図１】
2013184697.tif 000003
(57)【要約】 【課題】  用紙への折り目の形成を確実、正確、円滑、容易に達成し、構成を簡略化して経済性を高めることにある。【解決手段】  受けロール１１と筋付けロール１２とによって挟持される用紙Ｐに筋目を付ける折り目付け装置であって、受けロール１１の周面に樹脂製のクッション材１３を周設すると共に、筋付けロール１２の周面に、クッション材１３に対向して筋付け刃１４を周突設する構成で、用紙Ｐに筋付け刃１４の周端部が食い込むが、樹脂製のクッション材１３の弾性変形により、用紙Ｐは切断されることなく折り目が付けられる。【選択図】        図４
2013184785.tif 000002
【特許請求の範囲】
【請求項１】
受けロール（１１）と筋付けロール（１２）とによって挟持される用紙Ｐに筋目を付ける折り目付け装置であって、前記受けロール（１１）の周面に樹脂製のクッション材（１３）を周設すると共に、前記筋付けロール（１２）の周面に、前記クッション材（１３）に対向して筋付け刃（１４）を周突設することを特徴とする折り目付け装置。
【発明の詳細な説明】
【技術分野】
【０００１】
本発明は、所定の用紙に折り目を付けるための装置に関する。
【背景技術】
【０００２】
ダイレクトメール等の或る種の印刷物のような用紙は、最終的に例えば封筒に入れるために折り畳むことになり、正確且つ簡単に折り畳むことができるようにするため、予め折り目を付けることがある。即ち、Ａ４サイズの印刷物を三等分して折り畳むが如きであり、連続印刷された長尺な用紙を所定サイズに裁断する前の段階で、折り畳みのための折り目を予め付けるのである。
【０００３】
例えば、図１、図２は、従来の折り目付け装置の概略を示すもので、用紙Ｐは上下のロールに挟持されて矢視Ａ方向に搬送される。上位のロールは筋付けロール１、下位のロールは受けロール２であり、筋付けロール１は一対のロール１ａ間に円盤リング状の筋付け刃３を挟持して構成、受けロール２は所定幅で間隔ｄをあけた一対のロール２ａで構成される。
【０００４】
上位の一対のロール１ａから周端部が突出する筋付け刃３に対向して下位の一対のロール２ａの間隔ｄが位置し、筋付け刃３の周端部が間隔ｄに入り込む形態となっている。従って筋付けロール１と受けロール２とによって挟持されて搬送される用紙Ｐは、筋付け刃３の周端部に押されて間隔ｄに食い込むことになり、折り目Ｂが用紙Ｐの搬送方向に沿って付けられるのである。
【０００５】
しかしながらこの構成では、筋付け刃３の周端部の間隔ｄへの食い込み量、即ち筋付け刃３の周端部の突出量、及び一対のロール２ａの間隔ｄ幅によって成果が左右され、折り畳むのに充分な折り目Ｂの筋が確実に形成されなかったり、或いは逆に折り目ではなく切断してしまったりする問題がある。即ち、特に一対のロール２ａの間隔ｄ幅の調整が極めて微妙であり、困難である欠点があった。
【０００６】
このような問題に鑑み、従来より以下の如き発明が提案されている。
【先行技術文献】
【特許文献】
【０００７】
【特許文献１】特開２００５−３１３３７２号公報
【発明の概要】
【発明が解決しようとする課題】
【０００８】
即ち、上記特許文献１の発明は前記問題を解決するべく、バネを介して受けロールを揺動する構成としたものであるが、機構が複雑となり、それ故精度に疑問の残る処である。
【０００９】
よって本発明は、極めて容易且つ確実に、用紙に折り目を付けることができるようにすることにある。
【課題を解決するための手段】
【００１０】
上記の問題を解決するために、本発明の折り目付け装置は、受けロールと筋付けロールとによって挟持される用紙に筋目を付ける折り目付け装置であって、受けロールの周面に樹脂製のクッション材を周設すると共に、筋付けロールの周面に、クッション材に対向して筋付け刃を周突設することを特徴とする構成である。
【発明の効果】
【００１１】
従って本発明の折り目付け装置によれば、受けロールと筋付けロールとによって挟持搬送される用紙には、筋付けロールの周面に周突設された筋付け刃の周端部が食い込むことになるが、筋付け刃の対向部分には用紙を挟んで受けロール周面の樹脂製のクッション材が位置しているので、筋付け刃の周端部の食い込みで押された用紙は弾性変形するクッション材に食い込むことになる。
【００１２】
そこで、搬送ローラの回動により用紙が搬送されると、筋付け刃の周端部の食い込みで用紙に折り目が形成されるのであり、クッション材は筋付け刃の周端部の食い込みで用紙が押されても弾性変形するため、用紙に無理な圧力がかからず、破断してしまうことはない。
【００１３】
それ故、本発明によれば、用紙への折り目の形成を確実、正確、円滑、容易に達成することができ、構成が簡単なので微妙な調整や故障の問題はなく、経済的である等、多くの優れた作用効果を有する。
【図面の簡単な説明】
【００１４】
【図１】従来の折り目付け装置の斜視図である。
【図２】図１の要部正面図である。
【図３】本発明の正面図である。
【図４】図３の拡大断面図である。
【発明を実施するための形態】
【００１５】
図１と同様の紙送りのための搬送機構にあって、図３、４に示すように、用紙Ｐは、受けロール１１と筋付けロール１２とによって挟持される。受けロール１１の周面には合成樹脂製、天然ゴム製等によるクッション材１３が周設されており、筋付けロール１２の周面には、クッション材１３に対向して筋付け刃１４が周突設された構成である。
【実施例１】
【００１６】
受けロール１１はその周面に周溝１５が刻設されてあり、この周溝１５に幅広リング形状のクッション材１３を嵌め込む形態で周設するものである。これは、クッション材１３の消耗交換に対応できるようにするためである。
【００１７】
筋付けロール１２は、一対のロール１２ａ、１２ａ間で円盤リング状の筋付け刃１４を挟持する構成で、筋付け刃１４の周端部はロール１２ａよりも突出している。即ち、筋付け刃１４の直径はロール１２ａの直径よりも大きくなっている。この突出量は、筋付け刃１４の用紙Ｐに対する食い込み量となるので、用紙Ｐの厚み、紙質などの条件を考慮して設定されることになる。また、筋付け刃１４の周端縁は鋭利であると用紙Ｐを切断してしまう虞れがあり得るので、丸みを持たせておくと良い。
【符号の説明】
【００１８】
１１  受けロール
１２  筋付けロール
１３  クッション材
１４  筋付け刃
１５  周溝
Ｐ  用紙
【図１】
2013184785.tif 000003
【図２】
2013184785.tif 000004
【図３】
2013184785.tif 000005
【図４】
2013184785.tif 000006
(57)【要約】【課題】黒板拭きを密封ケースに入れて叩き鋼によってチョークの粉を綺麗に落とす極めて安全な黒板拭き自動叩き機を提供する。【解決手段】黒板拭きを上部から入れる密封蓋付きケースを設け、ハンドルを介して作動する歯車とカムを設け、カムとバネによって作動する叩き鋼を設け、チョークの粉を捨てる下に開く密封蓋を設けたことを特徴とする黒板拭き自動叩き機。【選択図】図１
2013184475.tif 000002
【特許請求の範囲】
【請求項１】
黒板拭きを上部から入れる密封蓋付きケースを設け、ハンドルを介して作動する歯車とカムとバネを設け、カムとバネによって作動する叩き鋼を設け、チョークの粉を捨てる下に開く密封蓋を設けたことを特徴とする黒板拭き自動叩き機。
【発明の詳細な説明】
【技術分野】
【０００１】本発明は、黒板拭きを自動で叩いて綺麗にしてくれる自動叩き機に関するものである。
【背景技術】
【０００２】従来、黒板拭きを棒で叩いたり、壁に叩いたりする事はあった。
【先行技術文献】
【０００３】
【特許文献１】
【特許文献２】
【発明の概要】
【発明が解決しようとする課題】
【０００４】その為、次のような問題があった。
（イ）黒板拭きを棒で叩いてもなかなか綺麗にならない。
（ロ）壁にパンパン叩くとチョークの粉がもうもうとして息が出来ない。
本発明は、これらの問題点を解決するためになされたものである。
【課題を解決する為の手段】
【０００５】黒板拭きを上部から入れる密封蓋付きケースを設け、ハンドルを介して作動する歯車とカムとバネを設け、カムとバネにより作動する叩き鋼を設け、チョークの粉を捨てる下に開く密封蓋を設ける。
以上の特徴とする黒板拭き叩き鋼内臓式密封ケースである。
【発明効果】
【０００６】黒板拭きが密封ケースの中で叩き鋼によりチョークの粉を叩き落すので、とても安全である。
【図面の簡単な説明】
【０００７】
【図１】本発明の側面図
【図２】本発明の上面図
【発明を実施するための形態】
【０００８】以下、本発明の実施の形態について説明する。
（イ）黒板拭き（１）を上部から入れる密封蓋（２）付きケース（３）を設け、ハンドル（４）によって作動するギア（５）と（６）を設ける。
（ロ）ギア（５）と（６）を介して作動するカム（７）を設け、カム（７）とバネ（８）により作動する叩き鋼（９）を設ける。
（ハ）叩き鋼（９）によって叩き落とされたチョークの粉を捨てる為の下に開く密封蓋（１０）を設ける。
（ニ）手動で稼動するハンドル（４）の代わりに電動装置（１１）を設ける。
本発明は以上のような構成で、これを使用する時は黒板拭きを密封蓋（２）内に入れてハンドル（４）を手動で回して、ギア（５）と（６）からカム（７）により叩き鋼（９）が黒板拭きを叩くのである。
しかも電動装置（１１）にすれば、放課後に１分程にセットすれば、チョークの粉は翌日授業時にはチョークの粉は落下して安定しているので黒板拭きを取り出して使用すれば黒板は深緑色になり文字等がくっきり見好くなる。
【符号説明】
【０００９】１    黒板拭き
２    上部密封蓋
３    密封ケース
４    ハンドル
５    ギア
６    ギア
７    カム
８    バネ
９    叩き鋼
１０  下部密封蓋
１１  電動装置
１２  黒板拭き押え板バネ
１３  叩き鋼止め
１４  取って
１５  蝶番
１６  蓋止め
１７  蝶番
１８  ゴム脚
１９  蝶番
２０  蓋止め
【図１】
2013184475.tif 000003
【図２】
2013184475.tif 000004
(57)【要約】【課題】崩壊性中子の下端部に不要な突起が形成されることを防ぐことができる崩壊中子の塗型方法の提供。【解決手段】塗型剤に浸漬された崩壊性中子１を搬送コンベア２に吊るして加熱乾燥炉３内に搬送する崩壊性中子の塗型方法である。搬送コンベア２のライン上にエアノズル４が設けられており、崩壊性中子１が加熱乾燥炉３内に入るまでの間に該崩壊性中子１の下端部１ａに向けてエアブローが行われる。エアブローにより崩壊性中子１の下端部１ａに生じた液だまりは吹き飛ばされ除去される。【選択図】  図２
2013184209.tif 000002
【特許請求の範囲】
【請求項１】
塗型剤に浸漬された崩壊性中子を搬送コンベアに吊るして加熱乾燥炉内に搬送する崩壊性中子の塗型方法であって、該搬送コンベアのライン上にエアノズルを設け、該崩壊性中子が該加熱乾燥炉内に入るまでの間に該崩壊性中子の下端部に向けてエアブローを行うことを特徴とする崩壊性中子の塗型方法。
【発明の詳細な説明】
【技術分野】
【０００１】
本発明はダイカスト法等の鋳造に用いられる崩壊性中子の塗型方法に関する。
【背景技術】
【０００２】
塗型剤を塗布した崩壊性中子を搬送コンベアに吊るして加熱乾燥炉内に搬送する崩壊性中子の塗型方法は下記特許文献１に所載されるように公知である。
【０００３】
こうした従来の塗型方法では、崩壊性中子が加熱乾燥炉に搬送されるまでの間に余剰の塗型剤が崩壊性中子の下端部において液だまりとなり、この液だまりの位置から下方に落下するようになる場合がある。そして、この状態で崩壊性中子が加熱乾燥炉内で乾燥されてしまうと、崩壊性中子の下端部に突起が形成されてしまう。こうした不要な突起が形成された崩壊性中子を用いてダイカスト法等の鋳造を行った場合、鋳造品には不要な凹部が形成され、鋳造品が不良品になるという問題がある。
【先行技術文献】
【特許文献】
【０００４】
【特許文献１】実開平６−１９９５４号公報
【発明の概要】
【発明が解決しようとする課題】
【０００５】
それゆえに本発明は上記従来の問題点に鑑みてなされ、崩壊性中子の下端部に不要な突起が形成されることを防ぐことができる崩壊中子の塗型方法を提供することを課題とする。
【課題を解決するための手段】
【０００６】
本発明は上記課題を解決すべくなされたものであって、本発明に係る崩壊性中子の塗型方法は、塗型剤に浸漬された崩壊性中子１を搬送コンベア２に吊るして加熱乾燥炉３内に搬送する崩壊性中子の塗型方法であって、該搬送コンベア２のライン上にエアノズル４を設け、該崩壊性中子１が該加熱乾燥炉３内に入るまでの間に該崩壊性中子１の下端部１ａに向けてエアブローを行うことを特徴とする。
【発明の効果】
【０００７】
本発明によれば、崩壊性中子の下端部に不要な突起が形成されることを防ぐことができる。
【図面の簡単な説明】
【０００８】
【図１】本実施形態に係る崩壊性中子を示す正面図である。
【図２】崩壊性中子の下端部にエアブローがなされている状態を示す概念図である。
【発明を実施するための形態】
【０００９】
本発明の一実施形態の崩壊性中子の塗型方法について図面を参酌しながら説明する。図１に示すように、崩壊性中子１は略Ｌ字形状であり、図示せぬ金型内に形成された崩壊性中子１の外形を形状とするキャビティ内に砂が充填されて、焼成工程を経て砂粒と粘結剤成分などで形状化されている。
【００１０】
崩壊性中子１が砂粒と粘結剤成分などから構成されている状態では、鋳造時に溶湯が砂中子１内部に浸透するおそれがあり、また溶湯圧により崩壊性中子１が崩壊するおそれがある。よって崩壊性中子１の表面を強固にすべく表面処理を行う。具体的には、例えばジルコン、アルミナ等の耐火物粉末にバインダーとしてフェノール樹脂や尿素樹脂を水やアルコールで溶かした溶液（スラリー液を含む）である塗型剤を崩壊性中子１の表面に塗布して保護膜を形成することにより、その表面を緻密かつ強固にする。この塗型剤の塗布は、塗型剤が貯留された図示せぬ塗型剤槽に崩壊性中子１を浸漬する浸漬工程により行われる。
【００１１】
塗型剤槽に浸漬されて表面に塗型剤が塗布された崩壊性中子１は、図２に示されるように搬送コンベア２に吊るされ、搬送コンベア２のライン進行方向前方に位置する加熱乾燥炉３に向けて搬送される（搬送工程）。崩壊性中子１はその上端側に図示せぬ穴を有しており、この穴に搬送コンベアのピン２Ａを差し込むことで崩壊性中子１は搬送コンベア２に吊るされている。
【００１２】
搬送コンベア２のライン上であって加熱乾燥炉３の入口の手前の位置には図示せぬエア供給手段から供給されるエアを噴出するエアノズル４が設置されている。詳細には、エアノズル４は搬送コンベア２により搬送されてくる崩壊性中子１の下方に位置しており、崩壊性中子１の下端部１ａに向けてエアブローを施す（エアブロー工程）ことができるように設置されている。上述の搬送工程の過程で余剰の塗型剤は崩壊性中子１の下端部１ａにおいて液だまりとなる場合があるが、崩壊性中子１の下端部１ａにおける液だまりが生じる部位に対してエアブローを施すことができるようにエアノズル４の向きと角度を調整しておくことにより、崩壊性中子１の下端部１ａの液だまりを崩壊性中子１が加熱乾燥炉３内に入る前に吹き飛ばして除去することができる。
【００１３】
崩壊性中子１が加熱乾燥炉３内に入ると、崩壊性中子１に塗布された塗型剤が乾燥・固化することにより、崩壊性中子１の表面に強固且つ緻密な保護膜を形成する（乾燥工程）。この保護膜は、ダイカスト法等の鋳造を行う場合に、溶湯の崩壊性中子１への浸透及び溶湯圧による崩壊等を防止する。
【００１４】
本実施形態の崩壊性中子の塗型方法は、崩壊性中子１を塗型剤に浸漬させる浸漬工程と、崩壊性中子１を搬送コンベア２に吊るして加熱乾燥炉３に向けて搬送する搬送工程と、崩壊性中子１を加熱乾燥炉３内において乾燥させる乾燥工程を有している。そして、搬送工程の過程において崩壊性中子１の下端部１ａに向けてエアブローを施すエアブロー工程を行うことから、乾燥工程を行う前に崩壊性中子１の下端部１ａに生じた液だまりを除去することができる。従って、乾燥工程を完了した崩壊性中子１の下端部１ａに不要な突起が形成されることを防ぐことができる。
【００１５】
本発明による崩壊性中子の塗型方法は、上述した実施形態に限定されず、特許請求の範囲に記載した範囲で種々の変形や改良が可能である。例えば、上述した実施形態において砂中子１は一層構造であったが、高強度を確保しうる外層と、良好な崩壊性を確保しうる内層とからなる二層構造であってもよい。
【００１６】
また、上述した実施形態において、エアノズルは搬送コンベアのライン上に１つ設置されていたが、搬送コンベアのライン上に複数のエアノズルを設置するようにしてもよい。
【符号の説明】
【００１７】
１      崩壊性中子
１ａ    下端部
２      搬送コンベア
２Ａ    ピン
３      加熱乾燥炉
４      エアノズル
【図１】
2013184209.tif 000003
【図２】
2013184209.tif 000004
(57)【要約】【課題】  従来のものは構造が複雑で、大きく重く、価格が高いなどの問題があり、さらに指先操作で自在に瞬時に散水状態が変えられる軽量小型の散水ノズルがなかった。【解決手段】  パイプで作る本体の一方の端をホースに挿着し、他方端には斜めにカットした楕円形の切り口の吐出口を設け、この吐出口の上部に、柔軟で平板な操作板の端を切り口の短方部に張り出して装着する。操作板はこの装着点を支点に吐出口に相対に合着離脱する散水ノズルで、さらに吐出口の先端に前方開放の前吐出口設けたものであり、ホースからと同じ流出水・散水・雨状の散水・棒状の噴出水が指先操作で自在に得られる。【選択図】図１
2013184158.tif 000002
【特許請求の範囲】
【請求項１】
ボデイを中空のパイプで作り、一方の端をホースに挿着し他方を吐出側とする散水ノズルであって、吐出側はパイプを斜めに切った楕円形の吐出口を設け、この吐出口の上部短方部には吐出口の全面を覆う平板で柔軟な操作板の一端を前方開放に装着し、この装着部を支点に吐出口と操作板が水流に沿って上下・相対に合着・離脱可能に設け、さらに吐出口の先端に前方開放の前吐出口設けた散水ノズルである。
【請求項２】
吐出口のパイプに柔軟なガイド・チューブの一端を装着し、その他端は吐出口内に開口・収納する請求項１に記載の散水ノズである。
【発明の詳細な説明】
【技術分野】
【０００１】  本発明は水道ホースに装着する散水ノズルに関する。
【背景技術】
【０００２】  従来の散水ノズルは中空の弁体に弁棒である操作棒を挿入してノズルを形成している、様々に工夫を施されたこの弁体と操作棒の組み合わせにより、普通の流出水・拡散水・雨滴状拡散水・噴出水・霧状噴出水・停止などを得ている。
さらに、ピストル引金型の他に回転組み合わせ型・ネジによる前後移動による組み合わせ型など様々である。（例えば、特許文献１参照）【０００３】  先願を調査したところ、本出願に類似する構造のものはない。
【先行技術文献】
【０００４】
【特許文献１】  特開平８−３８９４７
【発明の概要】
【発明が解決しようとする課題】
【０００５】  従来の散水ノズルは、構造が複雑で大型であり、重く価格も高い。また操作切替えが瞬時にできないなどの欠点がある。【０００６】  本発明は構造が簡単で、小型軽量で安価であり、操作も簡単な散水ノズルを提供する。
【課題を解決するための手段】
【０００７】  上記目的を達成するための第１の課題解決手段は、ボデイを中空のパイプで作り、一方の端をホースに挿着し他方を吐出側とする散水ノズルであって、吐出側はパイプを斜めに切った楕円形の吐出口を設け、この吐出口の上部短方部には吐出口の全面を覆う平板で柔軟な操作板の一端を前方開放に装着し、この装着部を支点に吐出口と操作板が水流に沿って上下・相対に合着・離脱可能に設け、さらに吐出口の先端には前方開放に前吐出口を設けた散水ノズルである。【０００８】  斜めに切って設ける吐出口は斜め直線や、切り口を弧状の丸みを持たせた斜めカットなどがある。【０００９】  吐出口の構造は操作板と組み合わせ指先操作でスムーズな合着・離脱が可能であり、さらに、合着時に先端の流出口が徐々に減少し吐出圧力が増加する先細り構造が必要で、前記円筒パイプの斜め切口や、その他、多角中空パイプ、変形円筒パイプ、変形子持中空パイプの斜め切口を利用するなどがある。【００１０】  また、第２の課題解決手段は、第１の課題解決手段に加え、吐出口のパイプに柔軟なガイド・チューブの一端を挿着し、その他端は吐出口内に開口・収納する請求項１に記載の散水ノズルである。【００１１】  上記第１の課題解決手段による作用は次のようである、ホースに挿着して元バルブを開けると、この散水ノズルは内径が挿着ホースと同径なのでホースと同じ流出水がえられる。【００１２】  水を流しながら操作板を親指で吐出口から出る水に押しつけると操作板に当たった水は偏平に広がり、拡散水が得られる。【００１３】  さらに親指に力を入れて操作板を吐出口に押付けると水は加圧され、先端の先細りした吐出口と操作板の間隙および小吐出口から雨滴状の散水となり噴出する。【００１４】  さらにまた、親指に力を入れて操作板を吐出口に押付けて閉鎖すると、前吐出口が働き吐出方向がやや下向きの棒状の噴出水が得られる。【００１５】  上記操作は指先に水圧を感じて操作するので、吐出水は無段階に変化可能で任意で瞬時の吐出水が得られる。【００１６】  この散水ノズルはストップ弁の機能はなく、高水圧はかからない、このため構造上の強度はそれ程必要なく、軽量・小型にできる。【００１７】  上記第２の課題解決手段による作用は次のようである、上記第１の課題解決手段により操作板を吐出口に押付けると水は加圧され不要な手元横方向へ噴出する場合がある、この課題解決に設けたガイド・チユーブは操作板と吐出口の間隙を閉塞し、手元横方向の漏れを防止し、機能に必要な吐出口の前方へ水を整流して作用する。
【発明の効果】
【００１８】  以上説明したように、構造が簡単で指先操作で、吐出水が瞬時に変化でき、軽量小型で安価にできる散水ノズルを提供できる。
【発明を実施するための最良の形態】
【００１９】  以下、本発明の実施の形態を図１〜図４に基づいて説明する。【００２０】  図１において、ボデイ１を中空のパイプで作り、一方をホース挿着部とし、他方の端のパイプを斜めに切って吐出口２を設ける。
この吐出口２の上部に操作板３を取り付ける。
さらに、吐出口２の先端に前吐出口４を設ける。【００２１】  図２は図１の縦面断面図で内部構造解説図である。【００２２】  図３は図１・図２の実施例に加え、吐出口２にガイド・チューブ６を取り付けたものである。【００２３】  図４は図３の縦面断面図で内部構造解説図である。
【図面の簡単な説明】
【００２４】
【図１】  散水ノズルの斜視図である。
【図２】  散水ノズルの縦面断面図である。
【図３】  第２例の取り付けを示す一部切開斜視図である。
【図４】  第２例の取り付けを示す縦面断面図である。
【符号の説明】
【００２５】        １          ボデイ
２          吐出口
３          操作板
４          前吐出口
５          ホース挿着部
６          ガイド・チューブ
７          ガイド・チューブ止
【図１】
2013184158.tif 000003
【図２】
2013184158.tif 000004
【図３】
2013184158.tif 000005
【図４】
2013184158.tif 000006
(57)【要約】【課題】汚染水中の陽イオン、陰イオン、あるいは電解質等の汚染物質を確実に捕捉し、選択的に移動させ、除去する。  水は希釈のため、若干移動させる。【解決手段】円盤型電界イオン交換体の内腔に汚染水を流し、上側に圧をかけ、陽イオン、陰イオン、あるいは電解質等の汚染物質を選択的にＥＦＩＸの隙間のイオン交換基の電界力、クーロン力で捕捉し、圧等イオン交換外力によって、外槽へ移動させる。  水分子も、圧力によって若干、移動する。 【選択図】図１
2013184114.tif 000002
【特許請求の範囲】
【請求項１】
プラスチック等平板の表面にイオン交換基を共有結合させ、重ね合わせる事により、作製する電界イオン交換体に電界、圧力、落差等の位置エネルギー、遠心力等の単１あるいは組み合わせをかけ、汚染水中から汚染電解質物質を電界イオン交換体の隙間を移動させ、除去する事によって、効率的に浄化する装置である。
【発明の詳細な説明】
【技術分野】
【０００１】
本発明は、電界イオン交換体（Ｅｌｅｃｔｏｒｉｃ  Ｆｉｅｌｄ  Ｉｏｎ  Ｅｘｃｈａｎｇｅｒ  ＥＦＩＸと略する）を使用して高効率に汚染水中の陽イオン等汚染物質を除去する事により浄化する。
【背景技術】
【０００２】
福島第一原発等の汚染水処理においてゼオライト等による処理ではセシウムの除去は不充分であり、二価の陽イオンであるストロンチウムは全く除去できない。  これら陽イオン等電解質を容易に効率良く除去できるのが電界イオン交換体による汚染水浄化装置である。
【０００３】
ゼオライトあるいは活性炭による処理はファンデルワールス力を利用するものであり、外界のちょっとした弱い力に左右され、効率良く汚染物質、陽イオン等電解質等を分離除去する事は困難である。
【０００４】
イオン交換樹脂あるいはイオン交換膜はイオン結合力を利用するものである。  イオン交換樹脂は樹脂活性化、溶離は酸、塩基，塩等の電解質を使用し、操作が大変であり、バッチ法しか出来なく、効率が悪い。  イオン交換膜は主として、強電解性イオン交換基を使用しており、膜は薄く堅固性がなく、操作性は悪く、薄膜なので、イオン交換基が少なく、容量が小さく、大量処理の効率は悪く、汚染水浄化処理には効率が悪い。
【０００５】
この改善策として、プラスチック等の平板等の表面にイオン交換基を共有結合させ、重ね合わせ、その平板間の隙間でイオン交換させるのが電界イオン交換体であり、弱電解性イオン交換基を結合させることができ、２価イオンあるいは３価イオンでも容易に交換する事ができる、イオン結合を解離させるイオン交換力として、電解質、電界、位置エネルギー、圧力、遠心力等を使用することが可能であり、又、連続的に運転させることができる。  このため、大量の汚染水を浄化する事ができる。
【先行技術文献】
【特許文献】
【０００６】
【特許文献１】特開平０７−０２２７１２号公報
【発明の概要】
【発明が解決しようとする課題】
【０００７】
汚染水中の陽イオン、陰イオン、電解質等を確実にイオン結合で捕捉することができ、その結合を、容易に使用できる電界、圧力、位置エネルギー、遠心力等で連続的に切断する事が出来ることが必要であり、それが唯一の電界イオン交換体である。  この事によって効率良く大量の汚染水を処理し、浄化することが可能である。
【課題を解決するための手段】
【０００８】
本発明は、円盤型プラスチック平板の表面にイオン交換基を共有結合させ、重ね合わせた、電界イオン交換体に(1)電界(2)圧力（圧透析）(3)落差等の位置エネルギー(4)遠心力を単独、あるいはそれぞれを組み合せた力を作用させることにより、汚染水中の陽イオン、陰イオン、塩等電解質を選択的に、連続的に外槽に移動させ、除去する事により、効率良く、清浄水を得ることができる。
【発明の効果】
【０００９】
本発明の汚染水浄化装置は弱電解性イオン交換基を使用しているため、イオン結合力が弱いので、多価イオンによる結合による妨害が少なく、活性化する必要はなく、継続的に使用できる。  連続的に浄化運転が可能である。  それと同時にイオン結合が弱いので、カルシウム、ストロンチウム等の多価イオンも容易に分離除去できる。
【図面の簡単な説明】
【００１０】
【図１】図１は電界イオン交換体による汚染水浄化処理装置の組み立て方法を示した説明図である。（実施例１）
【発明を実施するための形態】
【００１１】
容易に調達できる塩ビ樹脂の円盤型平板を室温で、エタノールアミンに漬け、紫外線ＬＥＤ等で短波長紫外線を５時間当てて、光化学反応によって、弱塩基であるエタノールアミン基を導入する、アクリル樹脂の円盤型平板に室温で、３Ｎ  ＫＯＨ（苛性カリ）に漬け、５時間放置しアルカリけん化よって、弱酸性基であるカルボキシル基が出現する。  これらを重ね合わせる事によって、両性電界イオン交換体を作製する。  スペーサとして、接着剤あるいはアクリル塗料を塗布する事によって、より堅固にし、汚染物質を移動させる隙間を作る。  外槽を金属にする事ができるので、堅牢になり、又、放射線等を遮蔽することができる。  プロセス電磁弁はＰＩＣ等のミニコンを使用した制御装置によってコントロールする。  以上により当該汚染水浄化装置は簡単に容易に製作する事ができる。
【実施例１】
【００１２】
図１は、本発明装置の実施例の組立図であって、(1)〜(5)の順に組み立てる。  (1)は両性電界イオン交換体の模式図であり、塩ビ平板樹脂に室温で、光化学置換反応によってエタノールアミン基を導入するので、歪み、変形等は殆ど起こらない。  アクリル平板樹脂を室温でアルカリ加水分解でカルボン酸基を導入し、重ね合わせる時、薄いスペーサとしてアクリル樹脂面にアクリル塗料、あるいは接着剤を塗布し乾かす事によって、狭い隙間を作る。  内側に汚染水を通し、上から圧透析として、圧をかけ、隙間を通して、圧により、汚染電解質を移動させる。  内腔の下側から、低濃度汚染水を取り出す。  
【００１３】
(2)は両性ＥＦＩＸを積み重ねた積層体である。  上側から汚染水を流し、圧力をかける、すなわち、圧透析となり、横側から、外側へ選択的に汚染物質である、電解質物質を選択的にＥＦＩX  の隙間を通して通過させる、水分子も圧によって、若干通過する。  下側から清浄水を取り出す。 (3)は外槽であり、金属で製作するので、堅固であり、遮蔽する事ができる。  (4)はこの中に(2)の両性ＥＥＩXを入れ、入口と出口に管及び汚染電解物質を排出する管を取り付けたものである。  
【００１４】
(5)は(4)の清浄水取り出し管にプロセス電磁弁を取り付ける、上部に蓋を取り付け、密閉する。  最初にプロセス電磁弁を閉にし、汚染水取り込み口に付けたポンプを稼働し、汚染水を取り込み、圧をかけ、汚染電解物質を選択的に横側から、外槽へ移動させる、殆ど移動した時、そのプロセス電磁弁を開にし、  清浄水を取り出す。  清浄水取り出しが終了する時、プロセス電磁弁を再び、閉じ、圧をかけ、汚染物質を横側隙間空間を移動させる。  高濃度汚染水は外槽の横側に取り付けた管より外部に取り出す。
【符号の説明】
【００１５】
±ＥＦＩＸ    両性電界イオン交換体
ＰＳＶ        プロセス電磁弁
【図１】
2013184114.tif 000003
(57)【要約】【課題】高齢老人用の経口不老不死薬のバージョン6を作り最新科学応用で不老不死を完璧にする。【解決手段】ヒトｉＰＳ細胞初期化Ｏｃｔ３／４、Ｓｏｘ２、Ｋｌｆ４、Ｌ−ｍｙｃ、Ｌｉｎ28、Nａｎｏｇをプラスミドに入れコーティングするかたんぱく質の「かご」に入れ経口式とし、高齢老人のテロメアも若返ったように元の長さに戻り、老人脳は海馬と大脳を光か電極刺激して全記憶が甦り脳も若くなり、経口不老不死薬6を作り不老不死にする。【選択図】なし【特許請求の範囲】
【請求項１】
（ィ）主として高齢老人のヒトｉＰＳ6因子である初期化するのに必要なＯｃｔ３／４、Ｓｏｘ２、Ｋｌｆ４、L−Myc、Lin28、Nanogを用意し、
（ロ）これら6因子をプラスミドに入れて胃酸や熱で壊れないようにコーティングするか、たんぱく質の「かご」に入れ、
（ハ）従来、プラスミドを血液中に入れていたが、これを経口式にすることで口から飲むという単純化とし、  
（ニ）このようにして高齢老人でも全細胞が初期化しテロメアも若返ったように元の長さに戻り、経口不老不死薬となるが脳細胞の初期化で記憶も甦るか、脳の中の海馬と大脳を光刺激か電極刺激して全記憶が甦り老人脳も若くなる、                                                      
以上のような特徴を持つ高齢老人ヒトｉＰＳ6因子コーティング初期化テロメア若返り利用老人脳光電極刺激全記憶甦り経口不老不死薬6
【発明の詳細な説明】
【技術分野】
【０００１】
本発明は、ヒトｉＰＳ6因子細胞初期化老人脳全記憶甦り利用経口不老不死薬3の改良で主として高齢老人のケースに関する。
【背景技術】
【０００２】
従来、ヒトｉＰＳ細胞初期化6因子利用経口不老不死薬に関する高齢老人向けの技術はすくなかった。
【０００３】
【非特許文献１】「毎日新聞」2012年10月11日、1頁。
【非特許文献２】「毎日新聞」2012年12月4日、12頁。
【非特許文献３】「ネイチャーオンライン版」2012年3月22日付
【非特許文献４】「読売新聞」2011年11月5日
【発明の開示】
【発明が解決しようとする課題】
【０００４】
従来、ヒトｉＰＳ細胞初期化6因子利用経口不老不死薬に関する高齢老人向けの技術はすくなかったので最新技術よって改良実現させる。       
【課題を解決するための手段】
【０００５】
高齢老人ヒトｉＰＳ細胞初期化6因子をプラスミドに入れコーティングかかご入れ老人脳全記憶甦りを海馬と大脳光電極刺激で行う。
【発明の効果】
【０００６】
不老不死の肉体を保てる。
【発明を実施するための最良の形態】
【０００７】
以下、本発明の実施例について時系列的に文章で説明する。高齢老人ヒトｉＰＳ6因子である初期化するのに必要なＯｃｔ３／４、Ｓｏｘ２、Ｋｌｆ４、Ｌ−Mｙｃ、Liｎ28、Ｎａｎｏｇを用意し、これら6因子をプラスミドに入れて胃酸や熱で壊れないようにコーティングするか、たんぱく質の「かご」に入れ、従来、このプラスミドを血液中に入れていたが、これを経口式にすることで口から飲むという単純化とし、このようにして高齢老人でも全細胞が初期化し、テロメアも若返ったように元の長さに戻り経口不老不死薬となるが脳細胞の初期化で記憶も甦るか、脳の中の海馬と大脳を光刺激か電極刺激して全記憶甦り老人脳も若くなる、以上のような特徴を持つ高齢老人ヒトｉＰＳ6因子コーティング初期化テロメア若返り利用老人脳光電極刺激全記憶甦り経口不老不死薬6。
【実施例】
【０００８】
上記の形態や非特許文献の如く実施される。
【産業上の利用可能性】
【０００９】
高齢老人ヒトｉＰＳ6因子コーティング初期化テロメア若返り利用老人脳光電極刺激全記憶甦り経口不老不死薬6はヒトｉＰＳ細胞初期化３遺伝子利用経口不老不死薬の改良技術で大きく進歩を遂げ高齢化が進む中この薬の需要の産業上の利用可能性は高いと解される。
(57)【要約】【課題】従来のひざ掛けは、すぐずり落ちたり持運びに不便だったりとし、ひざ掛け機能としての安定性がなかった。ひざ掛けが必要ない時はひざ掛け布を収納し座布団又は枕としても使用でき女性の冷え予防対策のひざ掛け具を提供する。【解決手段】クッション本体にある左右のクッションの下面部と、クッションの上面部にひざ掛け布を収納するための開口部を設け、ここにクッション本体左右にあるクッションの下面部の中央に伸縮性のあるゴムバンド止め具とひざ掛け布を左右縫製する。クッション本体左右にある上面部の凸部ファスナーと、クッションの下面部にある凹部ファスナーを開閉式止め具でとめる。【選択図】図１
2013231264.tif 000002
【特許請求の範囲】
【請求項１】
クッション性を有する本体の左右に止め具を設け、夫々の止め具にひざ掛け布を取付けて、左右のひざ掛け布を重ねて一体と成すように設け、クッション本体の左右に設けたクッションの下面部と上面部にひざ掛け布を収納するための開口部を設けたひざ掛け具。
【発明の詳細な説明】
【技術分野】
【０００１】  本発明は、女性の血行不良を抑えるひざ掛け具に関するものである。
【背景技術】
【０００２】  従来、女性の血行不良を抑える、ひざ掛けクッションの冷え予防具はありませんでした。
【発明の概要】
【発明が解決しようとする課題】
【０００３】  従来のひざ掛けは使用しているとすぐずり落ちたり、ひざ掛け単体の為、持運びに配慮がされず、不便であった。更に、ひざ掛け機能として使用する時、ずれて安定性がなかった。
又、ひざ掛け使用後の収納スペースの確保も必要であった。
本発明は、風邪の対策、体温低下を防ぎ、女性の悩みを解消する為のものである。
【課題を解決するための手段】
【０００４】  クッション性を有する本体の左右に止め具を設け、夫々の止め具にひざ掛け布を取付けて、左右のひざ掛け布を重ねて一体と成すように設け、クッション本体の左右に設けたクッションの下面部と上面部にひざ掛け布を収納するための開口部を設ける。
以上の構成よりなるひざ掛け具。
【発明の効果】
【０００５】  春夏秋冬の季節を選ばず、オフィス、車中、自宅でも、特に女性は冷え性であるので普段からひざ掛けを準備しなくても、移動時にクッションと一体と成っているので気軽に寒さが予防できるので便利である。更に、クッション単体又クッション本体を片方のクッションの上面部と、クッションの下面部の間に開口部を設け、ここにクッション本体を挿入し上下開閉式ファスナーで止める事によりクッションカバーとしても使用する事ができ収納も簡単にできる。
ソファ・座椅子・座布団などは、ひざ掛け布を脱着可能とする事で上掛けとしても使用できるので使用用途の範囲も広がり、便利である。
本発明を実施するにあたって最初から縫製されていても良い。
【図面の簡単な説明】
【０００６】
【図１】本発明の平面図
【図２】本発明の使用状態を示す図
【図３】本発明の使用状態を示す図
【発明を実施するための形態】
【０００７】  以下、本発明の実施の形態を説明する。
本発明では、クッション本体はクッション性のある例えば座布団の綿や羽毛・スポンジ状の弾力のあるクッション材等を用いたクッションで座椅子やソファーの背もたれに使用される。
（イ）クッション本体（１）の左右にあるクッションの下面部（７）とクッションの上面      部（６）にひざ掛け布（４）を収納するための開口部（８）を設ける。
（ロ）ここにクッション本体（１）の左右にあるクッションの下面部（７）の中央に伸縮      性のあるゴムバンド止め具（３）とひざ掛け布（４）を左右に取付け縫製する。
本発明は以上のような構造である。
本発明を使用する時は、左右にあるクッションの下面部（７）とゴムバンド止め具（３）に取付けてあるひざ掛け布（４）を取出し左右から合わせ身体前面の中央部で面ファスナー（５）でとめる。ひざ掛け布（４）には面ファスナー（５）が取付けてあるのでひざからズレ落ちることはない。
使用後はひざ掛け布（４）を収納するためにクッション本体左右にあるクッションの下面部（７）とクッションの上面部（６）の間に設けた開口部（８）にゴムバンド止め具（３）で取付けたひざ掛け布を（４）を挿入し収納出来る。
ひざ掛け布（４）を収納した後クッションの上面部にある凸部ファスナー（９）とクッションの下面部にある凹部ファスナー（２）を開閉式ファスナーでとめる。
ひざ掛けが必要ない時はひざ掛け布を収納し座布団又は枕としても使用できる。
【符号の説明】
【０００８】１  クッション本体、２  凸部ファスナー、３  ゴムバンド止め具、４  ひざ掛け布、５  面ファスナー、６  クッションの下面部、７  クッションの上面部、８  開口部、９  凹部ファスナー
【図１】
2013231264.tif 000003
【図２】
2013231264.tif 000004
【図３】
2013231264.tif 000005